(57)【要約】【課題】座部の高さを所望に応じて簡単に変え、さらに、椅子同士を安定した状態で重ねる。【解決手段】本考案の椅子は、背板と座板が取り付けられた座部と、前記座部の両側部に設けられた摺動部材を介して前記座部を支える一対の支持部とを有し、前記支持部には、前記摺動部材を摺動させるためのレールが複数段設けられ、前記座部が前記支持部に取り外し自在に備えられてなる椅子であって、前記一対の支持部を互いに連結する水平部材が設けられ、前記レールには、前記椅子の前方側に第１の回転子が、上部に転倒防止部材が設けられ、前記摺動部材には、前記椅子の後方側に第２の回転子が、前方側に係止部が設けられている。【選択図】図１（ａ）
0003124621.tif 000002
【実用新案登録請求の範囲】
【請求項１】
背板と座板が取り付けられた座部と、
前記座部の両側部に設けられた摺動部材を介して前記座部を支える一対の支持部と
を有する椅子であって、
前記支持部に、前記摺動部材を摺動させるためのレールが複数段設けられ、
前記座部が前記支持部に取り外し自在に備えられてなる
ことを特徴とする椅子。
【請求項２】
背板と座板が取り付けられた座部と、
前記座部の両側部に設けられた摺動部材を介して前記座部を支える一対の支持部と
を有し、
前記支持部には、前記摺動部材を摺動させるためのレールが複数段設けられ、
前記座部が前記支持部に取り外し自在に備えられてなる椅子であって、
前記一対の支持部を互いに連結する水平部材が設けられ、
前記レールに、当該椅子の前方側に第１の回転子が設けられ、前記レールの上部に転倒防止部材が設けられ、
前記摺動部材に、当該椅子の後方側に第２の回転子が設けられ、前記摺動部材の前方側に係止部が設けられてなる
ことを特徴とする椅子。
【請求項３】
前記一対の支持部の下端が正面視で略ハ字状の形状である請求項１または２記載の椅子。
【考案の詳細な説明】
【技術分野】
【０００１】
本考案は、椅子に関する。さらに詳しくは、背板と座板が取り付けられた座部と、前記座部の両側部に設けられた摺動部材を介して前記座部を支える一対の支持部とを有する椅子であって、前記支持部には、前記摺動部材を摺動させるためのレールが複数段設けられ、前記座部が前記支持部に取り外し自在に備えられ、座部の高さを所望に応じて変えることができる椅子に関する。
【背景技術】
【０００２】
従来、座り方や利用者の体格に応じて、様々な椅子の形態が考えられている。
【０００３】
たとえば、特許文献１には、長時間にわたって正座する際の、姿勢を保持することと、脚のしびれを解消することを目的とした腰掛座椅子の技術が開示されている。この腰掛座椅子は、高さ調整が可能な腰掛部と、座椅子基台とを有し、利用者は、腰掛部に腰を載せて脚の膝から下の部分を腰掛部と座椅子基台との間に挿入して座る。
【０００４】
また、特許文献２には、組み立て易く、座板を前後方向に調整可能で、さらに、背を高くして使用することができる子供用椅子の技術が開示されている。この子供用椅子は、一対の側枠と、互いの側枠の上部を連結する凭れ材と、互いの側枠の下部を連結する桟材と、一対の側枠の内側に形成された多段の溝の一段に座板の側部が嵌められて架設された座板とを有し、両側枠の外側からねじ込まれたボルトにより座板が係止されている。
【０００５】
【特許文献１】特開２０００−３１６６７１号公報
【特許文献２】特開２００４−３３７４０９号公報
【考案の開示】
【考案が解決しようとする課題】
【０００６】
しかしながら、特許文献１の技術では、複数の腰掛座椅子を収納する際に、腰掛座椅子の特徴ある形態により座椅子同士を安定させて重ねることができず、スペースを大きく占有してしまう。そのため、このような腰掛座椅子は、法事などの集会で使用するために多数常備しておくには不向きであるという問題がある。
【０００７】
また、特許文献２の技術では、座板はボルトにより係止されているので、座板の高さを変える場合には、ボルトを取り外した後に、座板を側枠から引き抜いて、他の段の溝に嵌めた後に再びボルトをねじ込む、というボルトねじ込みの作業が伴う。それゆえ、座部の高さを変える作業に手間が掛かってしまうという問題がある。
【０００８】
本考案は、上記従来の問題を鑑みてなされたものであり、座部の高さを所望に応じて簡単に変えることができ、さらに、椅子同士を安定した状態で重ねることができる椅子を提供することを目的としている。
【課題を解決するための手段】
【０００９】
本考案の第１の態様にかかわる椅子によれば、背板と座板が取り付けられた座部と、前記座部の両側部に設けられた摺動部材を介して前記座部を支える一対の支持部とを有する椅子であって、前記支持部に、前記摺動部材を摺動させるためのレールが複数段設けられ、前記座部が前記支持部に取り外し自在に備えられてなることを特徴としている。
【００１０】
本考案の第２の態様にかかわる椅子によれば、背板と座板が取り付けられた座部と、前記座部の両側部に設けられた摺動部材を介して前記座部を支える一対の支持部とを有し、前記支持部には、前記摺動部材を摺動させるためのレールが複数段設けられ、前記座部が前記支持部に取り外し自在に備えられてなる椅子であって、前記一対の支持部を互いに連結する水平部材が設けられ、前記レールに、当該椅子の前方側に第１の回転子が設けられ、前記レールの上部に転倒防止部材が設けられ、前記摺動部材に、当該椅子の後方側に第２の回転子が設けられ、前記摺動部材の前方側に係止部が設けられてなることを特徴としている。
【００１１】
また、前記一対の支持部の下端が正面視で略ハ字状の形状であることが好ましい。
【考案の効果】
【００１２】
本考案によれば、座部を支持する一対の支持部のそれぞれに複数段のレールが取り付けられ、さらに、座部の両側部に前記レールと平行な摺動部材が取り付けられている。さらに、座部は、座部と一体的に設けられた前記摺動部材を支持部のレールに摺動させることにより、座部と支持部とが取り外し自在の椅子とすることができる。これにより、座部に設けられた摺動部材を摺動させるレールを選択することができるので、利用者は座部の高さを所望に応じて簡単に変えることができる。また、本考案の椅子は、一対の支持部の下端部が正面視でハの字状の形状であるので、椅子同士を安定させた状態で重ねて収納することができる。
【考案を実施するための最良の形態】
【００１３】
本考案の椅子は、背板と座板が取り付けられた座部と、前記座部の両側部に設けられた摺動部材を介して前記座部を支える一対の支持部とを有する椅子である。さらに、前記支持部には、前記摺動部材を摺動させるためのレールが複数段設けられ、前記座部が前記支持部に取り外し自在に備えられている。
【００１４】
以下で、添付図面を参照して、本考案の椅子を詳細に説明する。なお、文中で、前方あるいは後方という場合には、椅子の背板の反対側を前方とし、椅子の背板の側を後方として説明している。
【００１５】
図１（ａ）は、本考案の椅子を説明するための斜視図であり、図１（ｂ）は、本考案の椅子の側面を示す図、図２は、本考案の椅子の支持部を説明するための斜視図、図３は、本考案の椅子の支持部を説明するための正面図、図４は、本考案の椅子の支持部を説明するためのＡ−Ａ断面図、図５は、本考案の椅子の座部を説明するための斜視図、図６（ａ）〜図６（ｃ）は、本考案の椅子の座部を説明するための図であり、図６（ａ）は、座部の側面図、図６（ｂ）は、座部の正面図、図６（ｃ）は、座部の底面図、図７は、本考案の椅子の支持部と座部との関係を説明するための断面図、図８（ａ）〜図８（ｃ）は、本考案の椅子の座部を支持部に取り付ける際の動きを説明するための図、図９（ａ）〜図９（ｂ）は、本考案の椅子の座部の高さを変えた状態を示す側面図、図１０は、本考案の椅子を重ねた状態を示す正面図、図１１（ａ）〜図１１（ｂ）は、本考案の椅子の他の形態を説明するための側面図である。
【００１６】
実施の形態１
実施の形態１の椅子１００は、図１（ａ）および図１（ｂ）に示されるように、一対の支持部１と座部２とから構成されている。また、座部２は、支持部１に取り外し自在に備えられている。
【００１７】
一方の支持部１ａは、図２〜図４に示されるように、荷重を分散させて床面に伝達させるための床面に接する脚部１１と、脚部１１にその両端が固定されている逆Ｕ字状の支柱１２とから構成されている。さらに、一方の支持部１ａには、支柱１２の椅子１００における前方側と、後方側とに両端が接続されたレール（第１レール３１、第２レール３２、第３レール３３）が３段設けられている。また、支柱１２の上部には、肘掛１５が取り付けられている。また、支柱１２の脚部１１に近い位置には、前方側と後方側のそれぞれに、椅子１００を重ねた際に、それぞれの椅子の支柱１２同士の衝突を避けるための、衝突防止部材１６が設けられている。
【００１８】
他方の支持部１ｂの構造については、支持部１ａと左右対称である他は同様であるので、ここでの説明は省略する。
【００１９】
上記一方の支持部１ａと他方の支持部１ｂとからなる一対の支持部１には、椅子１００の前方側で一方の支持部１ａと他方の支持部１ｂとを互いに連結する第１水平部材１３が設けられている。また、椅子１００の後方側には、一方の支持部１ａと他方の支持部１ｂとを互いに連結する第２水平部材１４が設けられている。この第１水平部材１３および第２水平部材１４は、一方の支持部１ａと他方の支持部１ｂとを平行な状態で固定する。また、一対の支柱１２の下端は、椅子１００を重ねることができるように、正面視でハの字状の形状を呈している。
【００２０】
一対の支持部１の支柱１２に固定された第１レール３１は、図４に示されるように、３段のうち最下段のレールである。第１レール３１の長手方向には、上部に、座部が背板方向に回転して転倒することを防止するための転倒防止部材３１１が第１レール３１の面に対して垂直に突出して形成されている。また、第１レール３１の長手方向には、下部に、後述する摺動部材３０の第１回転子３０ａを誘導し、第１回転子３０ａを介して座部の荷重を受ける案内プレート３１０が第１レール３１の面に対して垂直に突出して形成されている。さらに、第１レール３１の前方側には第２回転子３１ａが設けられている。この第２回転子３１ａは、座部２を支持部１から取り外す、あるいは、支持部１に取り付けるときに、摺動部材３０と接触して回転し、摺動部材３０を円滑に摺動させるためのものである。また、第２回転子３１ａは、摺動部材３０と接触して、座部２に加わった荷重を支持部１に伝達する。
【００２１】
第２レール３２および第３レール３３の構造も第１レール３１と同様であるので、ここでの説明は省略する。
【００２２】
座部２は、図５〜図６（ｃ）に示されるように、側面視で、くの字状の座部保持部材２１と、背もたれとして利用するための座部保持部材２１に設けられた弾力のある背板２２と、利用者が着座するための座部保持部材２１に設けられた座板２３と、支持部１に設けられたレールに摺動させて座部２に付加された荷重を一対の支持部１に伝達するための、座部２の側部に設けられた摺動部材３０とから構成されている。ここで、本考案で背板とは、板状の堅強な部材に限らず、弾力のあるクッションのようなシートなども含んでいる。また、座板についても同様に、板状の堅強な部材に限らず、弾力のあるクッションのようなシートなども含んでいる。さらに、座部保持部材２１の底部には、図６（ｃ）に示されるように、２本の連結部材３６が平行に固定部材３７を介して座板２３の底面に固定されている。また、２本の連結部材３６の両端には、支持部１のレールに摺動される摺動部材３０が座部の前後方向にその長手方向を向けて設けられている。
【００２３】
摺動部材３０は、図６（ａ）および図６（ｂ）に示されるように、帯状の形状を呈しており、その上部の一部には、座部２に付加された荷重を支持部１の第２回転子（３１ａ、３２ａ、３３ａ）に伝達するための伝達部材３０ｄが摺動部材３０の面に対して垂直に突出して形成されている。また、摺動部材３０には、椅子１００の後方側（図６（ａ）、紙面左側）に第１回転子３０ａが設けられている。この第１回転子３０ａは、座部２を支持部１から取り外す、あるいは、取り付けるときに、支持体１に設けられたレールの案内プレート（３１０、３２０、３３０）と接触して回転し、摺動部材３０を円滑に摺動させるためのものである。さらに、摺動部材３０には、椅子１００の前方側（図６（ａ）、紙面右側）に座部２の前後方向の位置を決めるための係止部３０ｂが設けられている。また、摺動部材３０には、座部２を支持部１に取り付けたときに、座部２に設けられた第１回転子３０ａが支持部１の案内プレート３１０上を転がって、安易に座部２が移動することを防ぐための補助係止部３０ｃが設けられている。補助係止部３０ｃは、摺動部材３０の伝達部材３０ｄの面から下方（図６（ａ）紙面下方）へ突出して略三角形状を呈している。
【００２４】
支持部１に座部２を取り付けると、図７に示されるように、座部２に設けられた摺動部材３０が、支持部１に設けられたレール（図７では、第３レール３３）に係合して、支持部１は、座部２を支持する。
【００２５】
上記の構成により、図８（ａ）〜図８（ｃ）および図９（ａ）〜図９（ｂ）を用いて、本実施の形態の椅子１００について、座部２に設けられた摺動部材３０と支持部１に設けられたレールの動きについて説明する。
【００２６】
まず、図８（ａ）に示されるように、使用者は、座部２に設けられた摺動部材３０の後部を、支持部１の前方側から支持部１に設けられた第３レール３３に滑り込ませ、摺動部材３０を第３レール３３の長手方向に沿って、後方へ向けて（図８（ａ）、紙面右方向）摺動させる。
【００２７】
つぎに、図８（ｂ）に示されるように、座部２に設けられた摺動部材３０の補助係止部３０ｃが、支持部１の第３レール３３に取り付けられた第２回転子３３ａに当接すると、補助係止部３０ｃの形状に応じて前方側がやや上方へ傾く。使用者は、摺動部材３０を、傾いた状態で第３レール３３の長手方向に沿って、後方へ向けて（図８（ｂ）、紙面右方向）さらに進ませる。
【００２８】
最後に、図８（ｃ）に示されるように、座部２に設けられた摺動部材３０の補助係止部３０ｃが、支持部１の第３レール３３に取り付けられた第２回転子３３ａを乗り越えて、摺動部材３０がほぼ水平な状態に戻り、摺動部材３０の前方に設けられた係止部３０ｂが、第２回転子３３ａに当接する。このように、座部２に設けられた摺動部材３０の係止部３０ｂが、支持部１に設けられた第２回転子３３ａに係合することにより、座部２を椅子１００の前後方向の所定位置に取り付けることができる。さらに、摺動部材３０に補助係止部３０ｃが設けられていることにより、座部２を所定位置から前方向へ移動させる場合には、意図的な力が必要になる。それゆえ、座部２が、椅子１００の前方向に誤って移動することを防ぐことができる。
【００２９】
支持部１から座部２を取り外す場合は、上記取り付けの場合と逆の順序で動作するので、ここでの説明は省略する。
【００３０】
また、図９（ａ）および図９（ｂ）に示されるように、座部２を、支持部１の下から２段目の第２レール３２、あるいは、支持部１の最下段の第１レール３１に取り付けて、座部２の高さを所望に応じて簡単に変えることができる。
【００３１】
また、図１０には、複数の椅子１００を重ねた状態が示されている。図１０に示されるように、一対の支持部１の下部は、ハの字状に曲がっている。それゆえ、一方の椅子１００の一対の支持部１の下部が他方の椅子１００の一対の支持部１の上部に嵌り込み易く、複数の椅子１００同士を安定させて重ねることができる。
【００３２】
以上により、本実施の形態の椅子１００によれば、座部２を支持する一対の支持部１のそれぞれに複数段のレールが取り付けられ、さらに、座部２の両側部に前記レールと平行な摺動部材３０が取り付けられている。さらに、座部２は、座部２と一体的に設けられた前記摺動部材３０を支持部１のレールに摺動させることにより、座部２と支持部１とが取り付け自在の椅子１００とすることができる。これにより、座部２に設けられた摺動部材３０を摺動させるレールを選択することができるので、利用者は座部２の高さを所望に応じて簡単に変えることができる。また、本実施の形態の椅子１００は、一対の支持部１の下端部が正面視でハの字状の形状であるので、椅子同士を安定な状態で重ねて収納することができる。
【００３３】
本考案の椅子は、とくに限定されないが、座部の高さを選択することができるので、正座をするのが困難なお年寄り向けの椅子、あるいは、成長に応じて高さ調整が必要な子供用椅子として使用することもできる。
【００３４】
なお、上記実施の形態１では、支持部に取り付けられたレールが３段である場合について説明したが、本考案はこれに限らず、図１１（ａ）および図１１（ｂ）に示されるように、レールは３段以上であっても、３段以下であっても構わない。
【００３５】
また、上記実施の形態１では、脚部１１の底面全体が床面に接している場合について説明したが、本考案はこれに限らず、脚部１１としてキャスターを備えた形態であっても構わない。
【図面の簡単な説明】
【００３６】
【図１（ａ）】本考案の椅子を説明するための斜視図である。
【図１（ｂ）】本考案の椅子の側面を示す図である。
【図２】本考案の椅子の支持部を説明するための斜視図である。
【図３】本考案の椅子の支持部を説明するための正面図である。
【図４】本考案の椅子の支持部を説明するためのＡ−Ａ断面図である。
【図５】本考案の椅子の座部を説明するための斜視図である。
【図６（ａ）】本考案の椅子の座部を説明するための側面図である。
【図６（ｂ）】本考案の椅子の座部を説明するための正面図である。
【図６（ｃ）】本考案の椅子の座部を説明するための底面図である。
【図７】本考案の椅子の支持部と座部との関係を説明するための断面図である。
【図８】（ａ）〜（ｃ）は、それぞれ本考案の椅子の座部を支持部に取り付ける際の動きを説明するための図である。
【図９】（ａ）〜（ｂ）は、それぞれ本考案の椅子の座部の高さを変えた状態を示す側面図である。
【図１０】本考案の椅子を重ねた状態を示す正面図である。
【図１１】（ａ）〜（ｂ）は、本考案の椅子の他の形態を説明するための側面図である。
【符号の説明】
【００３７】
１  支持部
１３  第１水平部材
１４  第２水平部材
２  座部
２２  背板
２３  座板
３０  摺動部材
３０ａ  第１回転子
３０ｂ  係止部
３１  第１レール
３２  第２レール
３３  第３レール
３４  第４レール
３５  第５レール
３１１、３２１、３３１  転倒防止部材
３１ａ、３２ａ、３３ａ  第２回転子
１００、１１０、１２０  椅子
【図１（ａ）】
0003124621.tif 000003
【図１（ｂ）】
0003124621.tif 000004
【図２】
0003124621.tif 000005
【図３】
0003124621.tif 000006
【図４】
0003124621.tif 000007
【図５】
0003124621.tif 000008
【図６（ａ）】
0003124621.tif 000009
【図６（ｂ）】
0003124621.tif 000010
【図６（ｃ）】
0003124621.tif 000011
【図７】
0003124621.tif 000012
【図８】
0003124621.tif 000013
【図９】
0003124621.tif 000014
【図１０】
0003124621.tif 000015
【図１１】
0003124621.tif 000016